【手続補正書】
【提出日】平成22年2月19日(2010.2.19)
【手続補正１】
【補正対象書類名】特許請求の範囲
【補正対象項目名】全文
【補正方法】変更
【補正の内容】
【特許請求の範囲】
【請求項１】
先端部に針糸及びルーパ糸を捕捉する糸捕捉部を有し、その糸捕捉部が針板とルーパの間に進出した前進位置と前記ルーパの運動軌跡の後方側に退入した後退位置との間に亘って往復移動可能な可動メスと、この可動メスを前記両位置間に亘って往復駆動移動させる往復揺動式駆動レバーと、所定の縫製動作終了後に前記可動メスが前進位置から後退位置に往行駆動移動するとき、前記糸捕捉部に捕捉された針糸及びルーパ糸を前記可動メスとの協働作用により切断する固定メスと、切断された針糸及びルーパ糸の端部を前記可動メスの先端部との間で弾性挟持する糸挟み板とを具備してなるミシンの糸切り装置において、
装置取付台には、前記可動メス、固定メス及び糸挟み板を保持するメス保持台を前記針板及びルーパに対して近接した前方への進出位置とそれよりも斜め後方への退避位置との間で揺動変位させることが可能な長短二つの揺動リンクからなる四連リンク機構が設けられており、前記可動メスと固定メスとの協働作用による糸切断後における前記駆動レバーの更なる復行揺動時に該駆動レバーが前記四連リンク機構の長い揺動リンクに当接して該四連リンク機構が同期作動され前記メス保持台を前記進出位置から退避位置に揺動変位させるように構成されていることを特徴とするミシンの糸切り装置。
【請求項２】
前記四連リンク機構の長い揺動リンクの中間部位と前記メス保持台との間には、前記メス保持台の進出位置への揺動変位をストップし、かつ、そのストップ位置を調節可能としたストッパー機構が設けられている請求項１に記載のミシンの糸切り装置。
【請求項３】
前記四連リンク機構の短い揺動リンクのメス保持台への枢支部には、前記メス保持台の針板及びルーパに対する前後位置を調節可能なエキセンスペーサーが介在されている請求項１または２に記載のミシンの糸切り装置。
【手続補正２】
【補正対象書類名】明細書
【補正対象項目名】０００１
【補正方法】変更
【補正の内容】
【０００１】  本発明は、例えば偏平縫いミシンや二重環縫いミンンによる所定の縫製動作終了後における針糸及びルーパ糸の切断に用いられるミシンの糸切り装置に関する。詳しくは、先端部に針糸及びルーパ糸を捕捉する糸捕捉部を有し、その糸捕捉部が針板とルーパの間に進出した前進位置と前記ルーパの運動軌跡の後方側に退入した後退位置との間に亘って往復移動可能な可動メスと、この可動メスを前記両位置間に亘って往復駆動移動させる往復揺動式駆動レバーと、所定の縫製動作終了後に前記可動メスが前進位置から後退位置に往行駆動移動するとき、前記糸捕捉部に捕捉された針糸及びルーパ糸を前記可動メスとの協働作用により切断する固定メスと、切断された針糸及びルーパ糸の端部を前記可動メスの先端部との間で弾性挟持する糸挟み板とを具備してなるミシンの糸切り装置に関するものである。
【手続補正３】
【補正対象書類名】明細書
【補正対象項目名】０００２
【補正方法】変更
【補正の内容】
【０００２】  上記のように構成されているミシンの糸切り装置においては、縫製動作終了後の糸切断時には被縫製物における針糸及びルーパ糸の残留長さを短くするために、可動メス、固定メス及び糸挟み板を針板及びルーパに対して近接した前方への進出位置に移動させ、かつ、糸切断後の次の縫製動作時には固定メス等がルーパの動作に干渉することを回避するために、該固定メス、可動メス及び糸挟み板を前記糸切断時における進出位置より退避位置に移動させることが必要である。
【手続補正４】
【補正対象書類名】明細書
【補正対象項目名】０００５
【補正方法】変更
【補正の内容】
【０００５】  しかしながら、上記のごとく直線的又はほぼ直線的な後退移動手段が採られていた従来の糸切り装置においては、退避位置に移動されたときでも、図７に示すように、可動メス５０、固定メス５１及び糸挟み板５２（以下、可動メス等と称する場合もある。）の先端部（左端部）がルーパ５３の左右往復運動軌跡（矢印５４で示す）に非常に接近した位置関係にあり、また、可動メス５０の先端部と糸挟み板５２との間に切断端部が弾性挟持されているルーパ糸Ｌがルーパ５３の略直上部に重なる状態で張られているために、ルーパ糸Ｌにより形成されるべき三角エリアが非常に小さくなり、使用する糸の種類によっては次の縫製動作開始時に針（図７では図示省略する。）がルーパ糸Ｌの三角エリアに降下せず、目飛びを発生する可能性があった。
【手続補正５】
【補正対象書類名】明細書
【補正対象項目名】０００６
【補正方法】変更
【補正の内容】
【０００６】  また、可動メス５０等が退避位置に移動された状態で、ルーパ５３を図８に示すように、それの左右往復運動軌跡５４の最右端に停止させてルーパ先端近くの糸穴５３ａにルーパ糸Ｌを通すとき、その糸穴５３ａが可動メス５０等の先端部と針板５６との間の左右、上下ともに非常に狭くて窮屈な箇所に存在するために、可動メス５０等の先端部や針板５６が障害物となって糸穴５３ａへの糸通し作業がやりずらいという問題もあった。
【手続補正６】
【補正対象書類名】明細書
【補正対象項目名】０００７
【補正方法】変更
【補正の内容】
【０００７】  本発明は上述の実情に鑑みてなされたもので、退避位置に移動させたとき、ルーパ糸により大きな三角エリアを確実に形成させて、該三角エリアに次縫製動作開始時の針を確実に降下させて目飛びの発生を防止することができるとともに、ルーパ糸の糸穴への通し作業も容易に行うことができ、しかも、ガタの発生や局所への負荷負担による破損変形をなくして耐久性の向上も図ることができるミシンの糸切り装置を提供することを目的としている。
【手続補正７】
【補正対象書類名】明細書
【補正対象項目名】０００８
【補正方法】変更
【補正の内容】
【０００８】  上記目的を達成するために、本発明に係るミシンの糸切り装置は、先端部に針糸及びルーパ糸を捕捉する糸捕捉部を有し、その糸捕捉部が針板とルーパの間に進出した前進位置と前記ルーパの運動軌跡の後方側に退入した後退位置との間に亘って往復移動可能な可動メスと、この可動メスを前記両位置間に亘って往復駆動移動させる往復揺動式駆動レバーと、所定の縫製動作終了後に前記可動メスが前進位置から後退位置に復行駆動移動するとき、前記糸捕捉部に捕捉された針糸及びルーパ糸を前記可動メスとの協働作用により切断する固定メスと、切断された針糸及びルーパ糸の端部を前記可動メスの先端部との間で弾性挟持する糸挟み板とを具備してなるミシンの糸切り装置において、装置取付台には、前記可動メス、固定メス及び糸挟み板を保持するメス保持台を前記針板及びルーパに対して近接した前方への進出位置とそれよりも斜め後方への退避位置との間で揺動変位させることが可能な長短二つの揺動リンクからなる四連リンク機構が設けられており、前記可動メスと固定メスとの協働作用による糸切断後における前記駆動レバーの更なる復行揺動時に該駆動レバーが前記四連リンク機構の長い揺動リンクに当接して該四連リンク機構が同期作動され前記メス保持台を前記進出位置から退避位置に揺動変位させるように構成されていることを特徴としている。
【手続補正８】
【補正対象書類名】明細書
【補正対象項目名】００１５
【補正方法】変更
【補正の内容】
【００１５】  前記糸切り装置４０は、先端部に針糸及びルーパ糸Ｌ（図５参照）を捕捉するフック状の糸捕捉部２ａを有し、この糸捕捉部２ａが針板とルーパ３３の間に進出した図３に示す前進位置と前記ルーパ３３の運動軌跡３２の右方（後方）側に退入した図２に示す後退位置との間に亘って矢印ａ−ｂで示す左右方向に往復移動可能な可動メス２と、前記装置取付台１に段ネジ３を介して長手方向中間部が枢支され、その長手方向一端部に連結のシリンダ等の伸縮駆動源（図示省略する。）を介して前記段ネジ３の軸心を支点として矢印ｃ−ｄで示す左右方向に往復駆動揺動可能で、その往復駆動揺動により前記可動メス２を前記両位置間に亘って往復駆動移動させる往復揺動式駆動レバー４と、所定の縫製動作終了後に前記可動メス２が図３の前進位置から図２の後退位置に復行駆動移動するとき、前記糸捕捉部２ａに捕捉された針糸及びルーパ糸Ｌを可動メス２との協働作用により切断する固定メス５と、切断された針糸及びルーパ糸Ｌの端部を前記可動メス２の先端部との間で弾性挟持する糸挟み板６と、この糸挟み板６の先端部を前記可動メス２側に弾性的に押圧する糸挟み板押しバネ７と、この糸挟み板押しバネ７の下部に配置された糸挟み板押しバネ調節片８等を具備している。
【手続補正９】
【補正対象書類名】明細書
【補正対象項目名】００２３
【補正方法】変更
【補正の内容】
【００２３】  所定の縫製動作終了直後は、図２に示すように、可動メス２、固定メス５及び糸挟み板６等を保持するメス保持台１３が針板及びルーパ３３に対して近接する前方（左方）への進出位置に移動されている。この状態で駆動レバー４が左方向ｃに往行駆動揺動されることに伴い可動メス台１０がメス保持台１３の長溝１３ａに沿って左方向ａに直線的に移動されて可動メス２が、図３に示すように、その先端の糸捕捉部２ａが針板とルーパ３３の間に進出した前進位置にまで往行移動される。その後、前記駆動レバー４の右方向ｄへの復行揺動に伴って前記可動メス２が前記の往行移動時と同じ軌跡を通って右方向ｂに直線的に復行移動して、図２に示す進出位置に復帰する直前に前記糸捕捉部２ａに捕捉した針糸及びルーパ糸Ｌが固定メス５との協働作用により切断されるとともに、その切断された各糸端部は可動メス２の先端部と糸挟み板６との間に弾性的に挟持される。この糸切断時においては可動メス２、固定メス５及び糸挟み板６がルーパ３３に近接する進出位置にあるため、被縫製物における針糸及びルーパ糸Ｌの残留長さを短く、良好な縫製仕上がりとすることができる。
【手続補正１０】
【補正対象書類名】明細書
【補正対象項目名】００３１
【補正方法】変更
【補正の内容】
【００３１】
【図１】本発明に係るミシンの糸切り装置を構成する構成部品の分解斜視図てある。
【図２】同上糸切り装置の構成部品が組付けられた状態の要部の平面図である。
【図３】同上糸切り装置における可動メスが前進位置に進出した状態を示す要部の平面図である。
【図４】同上糸切り装置の可動メス等が退避位置に後退した状態を示す要部の平面図である。
【図５】同上糸切り装置の可動メス等が退避位置に後退したときのルーパ糸の張設状態等を示す要部の平面図である。
【図６】同上糸切り装置のメス保持台及び可動メスの進退ルートを説明する要部の平面図である。
【図７】従来の糸切り装置における可動メス等が後退位置に後退したときの可動メス等とルーパとの位置関係を示す要部の斜視図である。
【図８】従来の糸切り装置における可動メス等が後退位置に後退した状態で、かつ、ルーパが最右端に移動したときの可動メス等とルーパとの位置関係を示す要部の斜視図である。
【手続補正１１】
【補正対象書類名】図面
【補正対象項目名】図５
【補正方法】変更
【補正の内容】
【図５】
2008220915.tif 000001